(57)【要約】【課題】本発明は３枚のカレンダー用紙だけを毎年交換し、台紙等はそのまま複数年に渡って使用出来ると共に台紙を３つに折り畳むことにより、コンパクトに持ち運びができ、運送費が安価になる３ヶ月カレンダーを提供することを目的とする。【解決手段】一面に１月分と４月分を印刷し且つ他面に７月分と１０月分を印刷すると共に単月分に区分するミシン目７を設けた第１カレンダー用紙１と、一面に２月分と５月分を印刷し且つ他面に８月分と１１月分を印刷すると共に単月分に区分するミシン目７を設けた第２カレンダー用紙２と、一面に３月分と６月分を印刷し且つ他面に９月分と１２月分を印刷すると共に単月分に区分するミシン目７を設けた第３カレンダー用紙３と、該カレンダー用紙１，２，３を並列して表示する１枚或いは３枚の台紙４と、該台紙４に複数設けると共にカレンダー用紙１，２，３を取外し可能に保持する保持部５と、から少なくとも構成する。【選択図】図１
2012196963.tif 000002
【特許請求の範囲】
【請求項１】
１枚の用紙の一面に１月分と４月分を印刷し且つ他面に７月分と１０月分を印刷すると共に単月分に区分する折り目又はミシン目（７）を設けた第１カレンダー用紙（１）と、一面に２月分と５月分を印刷し且つ他面に８月分と１１月分を印刷すると共に単月分に区分する折り目又はミシン目（７）を設けた第２カレンダー用紙（２）と、一面に３月分と６月分を印刷し且つ他面に９月分と１２月分を印刷すると共に単月分に区分する折り目又はミシン目（７）を設けた第３カレンダー用紙（３）と、該カレンダー用紙（１），（２），（３）を並列して表示する長尺で且つ厚手な１枚の台紙（４）と、該台紙（４）に複数設けると共に前記カレンダー用紙（１），（２），（３）を取外し可能に保持する保持部（５）と、から少なくとも構成したことを特徴とする３ヶ月カレンダー。
【請求項２】
１枚の用紙の一面に１月分と４月分を印刷し且つ他面に７月分と１０月分を印刷すると共に単月分に区分する折り目又はミシン目（７）を設けた第１カレンダー用紙（１）と、一面に２月分と５月分を印刷し且つ他面に８月分と１１月分を印刷すると共に単月分に区分する折り目又はミシン目（７）を設けた第２カレンダー用紙（２）と、一面に３月分と６月分を印刷し且つ他面に９月分と１２月分を印刷すると共に単月分に区分する折り目又はミシン目（７）を設けた第３カレンダー用紙（３）と、該カレンダー用紙（１），（２），（３）を並列して表示する厚手な３枚から成る台紙（４）と、各台紙（４）に前記カレンダー用紙（１），（２），（３）を取外し可能に保持する紙製で複数の保持部（５）と、前記各台紙（４）間を回転可能に連結する連結部(10)と、から少なくとも構成したことを特徴とする３ヶ月カレンダー。
【請求項３】
前記台紙（４）を３つに折り畳めるように折曲線(６)が設けられ、該折曲線(６)の両側及び前記台紙(４)の略四隅に前記保持部（５）が設けられた請求項１記載の３ヶ月カレンダー。
【請求項４】
前記保持部（５）が、前記台紙（４）に切込線を刻設し、それを起して挟持可能な起立片と成された請求項１又は３記載の３ヶ月カレンダー。
【請求項５】
前記保持部（５）が、引掛用のフック，挿入用の溝部材の内の１つ或いは２つを用いる請求項１又は３記載の３ヶ月カレンダー。
【請求項６】
前記保持部（５）が、前記カレンダー用紙（１），（２），（３）の３辺を挿入する断面コの字状の枠体であり、該枠体を前記台紙（４）に３つ並べた請求項１記載の３ヶ月カレンダー。
【請求項７】
前記保持部（５）が、前記カレンダー用紙（１），（２），（３）と略同じ大きさの台板の３辺縁に、前記カレンダー用紙（１），（２），（３）が挿入可能に断面Ｌ字状の突片を取付けた箱状体であり、該箱状体を前記台紙（４）に３つ並べた請求項１記載の３ヶ月カレンダー。
【請求項８】
前記各台紙（４）が、上段台紙（41）と、中段台紙（42）と、下段台紙（43）と、から成され、且つ、折り畳み方向の長さが、前記上段台紙（41）より前記中段台紙（42）の方が短く、前記中段台紙（42）より前記下段台紙（43）の方が短くした請求項２記載の３ヶ月カレンダー。
【請求項９】
前記保持部（５）が、前記カレンダー用紙（１），（２），（３）を取外し可能に保持する複数の紙製フック（51）と、該紙製フック（51）を差し込んで取付けるための四角形状の差込穴（52）と、から少なくとも成され、前記差込穴（52）が、カレンダー用紙（１），（２），（３）の各月表示部の上部両側と、前記各台紙(４)の上部両側及び下部中央と、に穿設された請求項２又は８記載の３ヶ月カレンダー。
【請求項１０】
前記連結部（10）が、複数の紙製連結具（10a）と、該紙製連結具（10a）を取付けるための四角形状の穴（10b）と、から成され、前記穴（10b）が、前記上段台紙（41）の下辺と、前記中段台紙（42）の上辺及び下辺の近くと、前記下段台紙（43）の上辺の近くと、に穿設された請求項２又は８記載の３ヶ月カレンダー。
【発明の詳細な説明】
【技術分野】
【０００１】
本発明は３ヶ月単位で一覧できる３ヶ月カレンダーに関する。
【背景技術】
【０００２】
従来、３ヶ月カレンダーとして、色々な構成のものが提案されている。例えば、実用新案登録第３１５５７７５号では、一枚のカレンダーを月毎切取線の入った３ヶ月分で構成して、切取り後も常に３ヶ月分を掲示することができるカレンダーであり、上半分に３ヶ月分の写真や図柄の部分があり、且つ、３ヶ月分のめくり用の切取線が設けられているものであった。しかしながら実用新案登録第３１５５７７５号は、最初の１月の並びが［１月・２月・３月］となるが、２月になると、１月を切取って４月が表れるので［４月・２月・３月］となる。次に３月になると、２月を切取って５月が表れるので［４月・５月・３月］という具合に各月のカレンダーの並びが倒置され、時系列に沿った順序に月が並ばなくなってしまうという欠点があった。更に実用新案登録第３１５５７７５号は、その年しか使用できないものであった。
【０００３】
このため、各月のカレンダーの並びが、時系列に沿った順序になるようにするために提案されたものとして、実用新案登録第３１６４８５８号がある。これは１月〜１２月に至る各月カレンダーを独立した単体のカードを用意し、台紙の表側に３ヶ月分のカードを差込むための留め具を備えると共に台紙の後側に保管ポケットを構成したものである。この使用方法は、月末にその月の分を引抜いて、後方に設けた保管ポケットに挿入し、残りの２カ月分の位置をずらすと共に次月の単月カードを留め具に装着して新たな３ヶ月分が時系列に掲示されるものであった。しかしながら、実用新案登録第３１６４８５８号は、各月カレンダーを独立した単体のカードに分離するため、切取り回数が多くて、煩わしいものであると共に紛失し易く、且つ、台紙の表側に単体のカードを３ヶ月分差込まなければならないため、単体の枚数が多く、且つ、入れ違いが生じ易く、毎月の交換時には移動時の単体のカードの紛失に注意を払わなければならないという煩わしさがあった。しかも、実用新案登録第３１６４８５８号は上記同様に、その年しか使用できないものであった。
【０００４】
尚、本発明のようなカレンダー用紙だけを毎年交換し、台紙等はそのまま使用する記載が上記実用新案にはどこにも記載がなく、そのような発想もないものであった。又、本発明のように台紙が３つに折り畳めるようにして、コンパクトに持ち運びができ、運送費が安価になると共に全て紙製で製作し、且つ、３枚の用紙を交換するだけで長年間に渡って使用出来るエコロジーな３ヶ月カレンダーは、従来にはないものであった。
【先行技術文献】
【特許文献】
【０００５】
【特許文献１】実用新案登録第３１５５７７５号公報
【特許文献２】実用新案登録第３１６４８５８号公報
【発明の概要】
【発明が解決しようとする課題】
【０００６】
本発明は３枚のカレンダー用紙だけを毎年交換し、台紙等はそのまま使用出来ると共に台紙が３つに折り畳み可能とすることにより、コンパクトに持ち運びができ、運送費が安価になる３ヶ月カレンダーを提供することを目的とする。
【課題を解決するための手段】
【０００７】
本発明は上記要望に応えるために成されたものであり、つまり、１枚の用紙の一面に１月分と４月分を印刷し且つ他面に７月分と１０月分を印刷すると共に単月分に区分する折り目又はミシン目を設けた第１カレンダー用紙と、一面に２月分と５月分を印刷し且つ他面に８月分と１１月分を印刷すると共に単月分に区分する折り目又はミシン目を設けた第２カレンダー用紙と、一面に３月分と６月分を印刷し且つ他面に９月分と１２月分を印刷すると共に単月分に区分する折り目又はミシン目を設けた第３カレンダー用紙と、該３枚のカレンダー用紙を並列して表示する長尺で且つ厚手な１枚の台紙と、該台紙に複数設けると共に３枚のカレンダー用紙を取外し可能に保持する保持部と、から少なくとも構成する。また前記台紙を３枚に分離させると共にその台紙間を連結部で回転可能に連結させるものとしても良い。更に台紙が３つに折り畳めるように折曲線を設け、該各折曲線の両側及び台紙の略四隅に保持部が設けられ、該保持部が、台紙に切込線を刻設し、それを起して挟持可能な起立片と成されたものを用いるのが好ましい。又、前記保持部として、引掛用のフック，挿入用の溝部材の内の１つ或いは２つを用いても良い。また３枚のカレンダー用紙の３辺が差込まれる構造のものを用いても良い。
【発明の効果】
【０００８】
請求項１のように１枚の用紙の一面に１月分と４月分を印刷し且つ他面に７月分と１０月分を印刷すると共に単月分に区分する折り目又はミシン目（７）を設けた第１カレンダー用紙（１）と、一面に２月分と５月分を印刷し且つ他面に８月分と１１月分を印刷すると共に単月分に区分する折り目又はミシン目（７）を設けた第２カレンダー用紙（２）と、一面に３月分と６月分を印刷し且つ他面に９月分と１２月分を印刷すると共に単月分に区分する折り目又はミシン目（７）を設けた第３カレンダー用紙（３）と、を用いると共に複数枚のカードなどを重ねる必要がないものとなるため、３枚の用紙を移動させるだけで良く、１２枚の用紙（カード）を移動させる従来品と比べ、台紙（４）の後側に保管ポケットを備える必要がなくなると共に、必ず３枚の用紙は台紙（４）に並列されるため、入れ違いや交換時の単体のカードが紛失することはなく、管理が極めて容易となり、且つ、印刷する枚数が少ないため、印刷が簡単で、安価に提供できるものとなる。しかも最少枚である３枚の用紙だけを用いるので、省資源でエコロジーなものとなる。又、カレンダー用紙（１），（２），（３）を並列して長尺で且つ厚手な１枚の台紙（４）に３ヶ月分が表示されると共にカレンダー用紙（１），（２），（３）を取外し可能な複数の保持部（５）によって、台紙（４）に保持でき、２ヶ月先の予定が書き込めるため、一目でスケジュールが確認し易くなり、常に３ヶ月の長期間の管理が出来る使い勝手の良いカレンダーとなる。
【０００９】
請求項２のように１枚の用紙の一面に１月分と４月分を印刷し且つ他面に７月分と１０月分を印刷すると共に単月分に区分する折り目又はミシン目（７）を設けた第１カレンダー用紙（１）と、一面に２月分と５月分を印刷し且つ他面に８月分と１１月分を印刷すると共に単月分に区分する折り目又はミシン目（７）を設けた第２カレンダー用紙（２）と、一面に３月分と６月分を印刷し且つ他面に９月分と１２月分を印刷すると共に単月分に区分する折り目又はミシン目（７）を設けた第３カレンダー用紙（３）と、該カレンダー用紙（１），（２），（３）を並列して表示する厚手な３枚から成る台紙（４）と、各台紙（４）に前記カレンダー用紙（１），（２），（３）を取外し可能に保持する紙製で複数の保持部（５）と、前記各台紙（４）間を回転可能に連結する連結部(10)と、から少なくとも構成することにより、請求項１と同様の効果を得ることが可能なものとなると共にリサイクルが可能で、容易に焼却処分が出来るものとなる。
【００１０】
請求項３に示すように台紙（４）を３つに折り畳めるように折曲線(６)が設けられ、該各折曲線(６)の両側及び台紙(４)の略四隅に保持部（５）を設けることにより、コンパクトに持ち運びができ、運送費が安価になると共に３ヶ月分の表示が出来るものとなる。
【００１１】
請求項４に示すように保持部（５）が、台紙（４）に切込線を刻設し、それを起して挟持可能な起立片と成されることにより、全てが紙製となると共に部品数も少なくなるため、エコロジーとなり、コストダウンができ、且つ、リサイクルが可能で、容易に焼却処分が出来るものとなる。
【００１２】
請求項５のように保持部（５）として引掛用の紙製のフックを用いると、カレンダー用紙（１），（２），（３）に予め穿設した穴に紙製のフックを引掛けるだけで、掛け替えが容易なものとなる。この時、挿入用の溝部材で下方を挿入して保持すれば、風などによるカレンダー用紙（１），（２），（３）のめくれが殆どないものとなる。また挿入用の溝部材を用いると、カレンダー用紙（１），（２），（３）の出し入れが容易なものとなる。
【００１３】
請求項６のように保持部（５）として、カレンダー用紙（１），（２），（３）の３辺が挿入される断面コの字状の枠体を用いると共に該枠体を台紙（４）に３つ並べることにより、見た目に安定感が出ると共にカレンダー用紙（１），（２），（３）の差し替えが容易になる。
【００１４】
請求項７に示すように保持部（５）として、カレンダー用紙（１），（２），（３）と略同じ大きさの台板の３辺縁に、カレンダー用紙（１），（２），（３）を挿入可能に断面Ｌ字状の突片が取付けられた箱状体を用いると共に該箱状体を台紙（４）に３つ並べることにより、請求項６と同様の効果が得られると共に保持部（５）を台紙（４）に取付けることが簡単となる。
【００１５】
請求項８に示すように各台紙（４）が、上段台紙（41）と、中段台紙（42）と、下段台紙（43）と、から成され、且つ、折り畳み方向の長さが、上段台紙（41）より中段台紙（42）の方が短く、該中段台紙（42）より下段台紙（43）の方が短くすることにより、各台紙(４)を下から順に内側へ折り畳むことが出来るため、コンパクトに持ち運びができ、運送費が安価になると共に３ヶ月分の表示が出来るものとなる。又、前記上段台紙（41）の上部に会社名や宣伝文などを記入しておくことが出来るものとなる。
【００１６】
請求項９のように保持部（５）が、カレンダー用紙（１），（２），（３）を取外し可能に保持する複数の紙製フック（51）と、該紙製フック（51）を差し込んで取付けるための四角形状の差込穴（52）と、から少なくとも成され、前記差込穴（52）が、カレンダー用紙（１），（２），（３）の各月表示部の上部両側と、各台紙(４)の上部両側及び下部中央と、に穿設されたものと成すことにより、カレンダー用紙（１），（２），（３）の上部は紙製フック（51）に引掛けられると共にカレンダー用紙（１），（２），（３）の下部は紙製フック（51）に差し込まれて保持されるため、風などによるカレンダー用紙（１），（２），（３）のめくれが殆どないものとなり、且つ、全てが紙製となるため、エコロジーとなり、コストダウンができ、且つ、リサイクルが可能で、容易に焼却処分が出来るものとなる。
【００１７】
請求項１０のように連結部（10）が、複数の紙製連結具（10a）と、該紙製連結具（10a）を取付けるための四角形状の穴（10b）と、から成され、前記穴（10b）が、上段台紙（41）の下辺と、中段台紙（42）の上辺及び下辺の近くと、下段台紙（43）の上辺の近くと、に穿設されたものと成すことにより、３枚の各台紙(４)は回転可能に連結されて折り畳むことが簡単に行えるため、コンパクトに持ち運びができ、運送費が安価になると共に３ヶ月分の表示が容易に出来るものとなる。
【図面の簡単な説明】
【００１８】
【図１】本発明の実施形態を示す斜視図である。
【図２】本実施形態の要部部品を示す斜視図である。
【図３】本実施形態の横型を示す説明図である。
【図４】本実施形態の保持部を示す説明図である。
【図５】本実施形態の他の保持部を示す説明図である。
【図６】本実施形態の他の保持部を示す説明図である。
【図７】本発明の別実施形態を示す斜視図である。
【図８】本発明の別実施形態の要部部品を示す斜視図である。
【図９】別実施形態の保持部の使用状態を示す説明図である。
【図１０】別実施形態の連結部を示す説明図である。
【発明を実施するための形態】
【００１９】
本発明の実施形態を図１、図２に基づいて説明する。（１)は１枚の用紙の一面に１月分と４月分を図２に示すように互いに反対方向に印刷し且つ他面に７月分と１０月分を前記同様に印刷すると共に単月分に区分する折り目又は後述するミシン目（７）を設けた第１カレンダー用紙であり、該第１カレンダー用紙（１）はＢ３サイズが好ましく、２つ折り（Ｂ４）にして用いる。（２）は一面に２月分と５月分を上記同様に印刷し且つ他面に８月分と１１月分を上記同様に印刷すると共に単月分に区分する折り目又はミシン目（７）を設けた第２カレンダー用紙である。（３）は一面に３月分と６月分を同様に印刷し且つ他面に９月分と１２月分を同様に印刷すると共に単月分に区分する折り目又はミシン目（７）を設けた第３カレンダー用紙である。
【００２０】
また前記カレンダー用紙（１），（２），（３）に印刷する各月の表示は、曜日，日，日毎の記入欄を設ける簡単なものが好ましい。尚、後述する保持部（５）として図５に示すようにフックが用いられる場合は、それに対応する穴がカレンダー用紙（１），（２），（３）及び後述する台紙（４）に複数穿設されている。又、前記カレンダー用紙（１），（２），（３）の大きさはＢ３サイズに限定されるものではない。
【００２１】
（４）はカレンダー用紙（１），（２），（３）を並列して表示する長尺で且つ厚手な１枚の台紙であり、該台紙（４）はＢ４サイズのカレンダー用紙（１），（２），（３）が３枚縦方向に並列でき、且つ、３つに折り畳める大きさが確保されているが、宣伝用の文字を記載するためのスペースが上部又は下部或いは上下部に設けられた大きさのものとしても良い。
【００２２】
（５）は台紙（４）に複数設けると共にカレンダー用紙（１），（２），（３）を取外し可能に保持する保持部であり、該保持部（５）は、後述する各折曲線(６)の両側（上下）に２セットずつ及び台紙(４)の略四隅に設けられている。また前記保持部（５）としては、図４（ａ）に示す如く台紙（４）に切込線を刻設し且つそれを起して挟持可能な起立片と成したもの、図４（ｂ）に示すように挟持可能な爪を有する紙製のもの、図４（ｃ）に示す如く保持部（５）の上辺が付勢されて挟持出来る紙製のものを用いると良い。尚、前記爪を有する保持部（５）や上辺が付勢されて挟持出来る保持部（５）を紙製に代えて、合成樹脂や金属板などで作ることもできる。更に前記保持部（５）として、図５（ａ）に示すように前記起立片の代りに引掛用の紙製のフックを用いても良く、図５（ｂ）に示すように各カレンダー用紙（１），（２），（３）の上辺には引掛用の紙製のフックを用いると共に下辺には起立片の代りに挿入用の溝部材を用いても良い。又、図５（ｃ）に示す如く各台紙（４）の上辺に切欠を設け、少し首の長い紙製のフックを用いても良い。尚、挿入用の溝部材としては、略コの字状の断面形状を有し、そこへカレンダー用紙（１），（２），（３）が挿入できるものであれば良く、その他に紙製のフックを図５（ｃ）のように用いても良い。
【００２３】
（６）は台紙（４）を３つに折り畳めるように設けた折曲線であり、（７）はカレンダー用紙（１），（２），（３）を半分に折曲させて単月分に区分するミシン目であり、該ミシン目（７）は折曲でき、且つ、分離可能とするのが好ましい。尚、前記ミシン目（７）の代りに、折り目を設けても良い。（８）は台紙（４）の上部に穿設した壁掛け用の穴であり、該穴（８）は１つ或いは２つ穿設しておくのが良い。（９）はファイルに綴じるために穿設したファイル用穴であり、該ファイル用穴（９）は各カレンダー用紙（１），（２），（３）の各月分の上側或いは左側に穿設される。尚、このファイル用穴（９）は必ずしも必要ではない。
【００２４】
図３は本発明の実施形態の横型を示す図であり、これは前記実施形態に比べ、カレンダー用紙（１），（２），（３）は同じものを用いると良いが、横型となるため、Ｂ３サイズを横向きに使用し、折り目又は後述するミシン目（７）は縦方向に設けられたものを用いると良く、この場合には、第１カレンダー用紙（１）の表面には４月分が１月分の右側に印刷され、第２カレンダー用紙（２）の表面には５月分が２月分の右側に印刷され、第３カレンダー用紙（３）の表面には前記実施形態と同様に６月分が３月分の右側に印刷されたものを用いると良い。またカレンダー用紙（１），（２），（３）の各裏面には、表面に対して６ヶ月後の各月分が印刷されている。又、折曲線(６)もミシン目（７）と同様に縦方向に設けられ、穴（８）は台紙（４）の中央上部に穿設されている。更に前記保持部（５）が、カレンダー用紙（１），（２），（３）の３辺を挿入する断面コの字状の枠体であり［図６（ａ）参照］、該枠体を台紙（４）に３つ並べている。この枠体の代りに、図６（ｂ）に示すような保持部（５）を用いても良く、これはカレンダー用紙（１），（２），（３）と略同じ大きさの台板の３辺縁に、カレンダー用紙（１），（２），（３）が挿入可能に断面Ｌ字状の突片を取付けた箱状体のものであり、該箱状体を台紙（４）に３つ並べて貼着させたものとしても良い。尚、前記保持部（５）として、図４や図５に示すものを用いても良い。
【００２５】
次に本発明の別実施形態を図７、図８に基づいて説明する。（１），（２），（３）は前記実施形態のカレンダー用紙と同一である。（４）は厚手な３枚から成る台紙であり、該各台紙（４）は上から上段台紙（41）と、中段台紙（42）と、下段台紙（43）とする。また前記各台紙（４）の折り畳み方向の長さは、上段台紙（41）より中段台紙（42）の方が短く、中段台紙（42）より下段台紙（43）の方が短くしている。これは各台紙（４）を下から順に内側へ折り畳んでコンパクトにするためである。尚、前記上段台紙（41）の上部に会社名や宣伝文などが記入できるスペースを設けておくと良い。（５）は各台紙（４）に複数設けると共にカレンダー用紙（１），（２），（３）を取外し可能に保持する紙製で複数の保持部であり、該保持部（５）には、カレンダー用紙（１），（２），（３）を取外し可能に保持する複数の紙製フック（51）と、該紙製フック（51）を差し込んで取付けるための四角形状の差込穴（52）とがある。前記差込穴（52）が、カレンダー用紙（１），（２），（３）の各月表示部の上部両側と、前記各台紙(４)の上部両側及び下部中央と、に穿設されている。前記紙製フック（51）としては、図９に示すように略Ｓ字状に形成されたものを用いると良く、これを用いると、取付ける際に方向性を気にせずに取付け出来るものとなる。又、前記差込穴（52）としては、台形状にするのが好ましく、上辺の長さを紙製フック（51）の幅と同じにしておくと、差込み易く且つカレンダー用紙（１），（２），（３）のガタ付きが殆どないものとなる。（６）は不要である。
【００２６】
（７）はミシン目であり、（８）は壁掛け用の穴であり、（９）はファイル用穴であり、該ファイル用穴（９），ミシン目（７），穴（８）は前記実施形態と同一である。（10）は各台紙（４）間が回転可能に連結されるための連結部であり、該連結部（10）は、複数の紙製連結具（10a）と、該紙製連結具（10a）を取付けるための四角形状の穴（10b）と、から成され、前記穴（10b）は、上段台紙（41）の下辺と、前記中段台紙（42）の上辺及び下辺の近くと、下段台紙（43）の上辺の近くと、に穿設されている。この連結部（10）によって、３枚の各台紙（４）は回転可能に連結されてコンパクトに折畳むことが出来るものとなっている。また前記紙製連結具（10a）としては３連のもの、例えば、株式会社笹岡工業製の商品名「ペーパーバインド」の３山のものを用いるのが好ましい。
【００２７】
次に本発明の使用方法について説明する。予め、穴（８）を利用して台紙（４）を壁面に吊下するか、或いは穴（８）に紐を通して台紙（４）を壁面に吊下させておく。次に第１カレンダー用紙（１）の１月分と４月分が印刷された面を表側とし、ミシン目（７）に沿って中央を山折りにして半分に畳み、１月分を表側にしておく。同様にして第２カレンダー用紙（２）も半分に畳んで２月分を表側にし、且つ、第３カレンダー用紙（３）も半分に畳んで３月分を表側にしておく。そして、上から１月分と２月分及び３月分が時系列に沿ってカレンダー用紙（１），（２），（３）を台紙（４）に並列させておく。
【００２８】
先ず１月が終わり、２月になる時点で、カレンダー用紙（１），（２），（３）を台紙（４）から外し、上から２月分と３月分を保持部（５）で保持させて配置する。そして、１月分が反転されて４月分を表側に出し、それを３月分の下に配置させると共に保持部（５）で保持させることにより、時系列に沿ってカレンダー用紙（１），（２），（３）が並列されるのである。つまり、上から２月分と３月分及び４月分が表示される。尚、前記保持部（５）が紙製フック（51）と差込穴（52）から成すものを用いる場合は、カレンダー用紙（１），（２），（３）の上部を図９（ａ）のように紙製フック（51）に引掛け、カレンダー用紙（１），（２），（３）の下部を図９（ｂ）のように紙製フック（51）に差し込んで配置させる。又、前記差込穴（52）の代りに、図５（ｃ）の切欠を設け、そこへ少し首の長い紙製フック（51）を差し込んで配置させるものとしても良い。
【００２９】
３月になる時点で、上記同様にして上から３月分と４月分を保持部（５）で保持させて配置する。そして２月分が反転されて５月分を表側に出し、それを４月分の下に配置させると共に保持部（５）で保持させれば良い。この時、上から３月分と４月分及び５月分が表示される。４月になる時点で、上記同様にして上から４月分と５月分及び６月分を表示させる。そして、５月になる時点で、上記同様にして上から５月分と６月分を保持部（５）で保持させて配置し、且つ、第１カレンダー用紙（１）を１枚に伸ばし、７月分と１０月分が印刷された面を表側とし、ミシン目（７）に沿って中央を山折りにして半分に畳み、７月分を表側にして最下段に配置させる。すると、上から５月分と６月分及び７月分が表示される。以降は第２カレンダー用紙（２）も第３カレンダー用紙（３）も同様にして、１枚に伸ばすと共に裏面側を表側にして中央を山折りにして半分に畳み、順次、時系列に沿って並ぶように配置させれば良い。
【００３０】
そして１０月が終わった時点で、１０月迄に予め用意した次年度のカレンダー用紙（１），（２），（３）を上記同様にして上から１１月分と１２月分及び次年度の１月分のカレンダー用紙（１），（２），（３）を並列させて表示しておけば良い。更に１１月が終わった時点で、１２月分と次年度の１月分及び次年度の２月分とを並列して表示させる。その後、１２月が終わる時点で、その年のカレンダー用紙（１），（２），（３）を台紙（４）から外すと共に台紙（４）には、次年度の１月分と２月分及び３月分のカレンダー用紙（１），（２），（３）を並列させて時系列に沿って表示しておく。このように毎年１０月が終わる時点で、新しい年のカレンダー用紙（１），（２），（３）を用意し、それを従来の台紙（４）に保持させて使用することにより、３枚の用紙だけを交換すれば、台紙（４）が複数年度に渡って使用できるものとなり、格安な３ヶ月カレンダーとして長年に渡って使用出来るものとなる。
【００３１】
次に１２月が終り、本年度分のカレンダー用紙（１），（２），（３）をファイルに綴じ込んで保管する場合について説明する。先ず始めにカレンダー用紙（１），（２），（３）を１枚に伸ばし、第１カレンダー用紙（１）の１月表示した後に２月表示した第２カレンダー用紙（２）を重ね、更にその後に第３カレンダー用紙（３）の３月表示したものを重ねる。そして、ミシン目（７）を切離す。すると、１月〜３月表示した３枚と、４月〜６月表示した３枚とに分離して区分されるので、１月〜３月表示の後に４月〜６月表示したものを重ねることにより、一気に時系列に沿って並ぶ。このため、一年分がファイルに素早く、且つ、簡単に綴じ込んで保管出来るものとなるのである。
【００３２】
次に本発明の他の用い方について説明する。これは時系列に沿ってカレンダー用紙（１），（２），（３）を並列させるのではなく、現在の月の前後を確認しながら使用する方法である。この使用方法は上記と略同じであるが、１月の時点では現在の月を一番上側に配置させて表示するが、２月の時点ではそのままにしておく。つまり、台紙（４）に現在の月（２月）を中央に表示し、前月（１月）が上に、後月（３月）が下に配置され、前月の続行している事業内容や後月（３月）に及ぶ事業内容の予定が一目で確認できるものとなる。次に３月になる時点では、上記の使用方法の場合と同様にカレンダー用紙（１），（２），（３）を台紙（４）から外し、上から２月分と３月分を保持部（５）で保持させて配置する。そして、１月分が反転されて４月分を表側に出し、それを３月分の下に配置させると共に保持部（５）で保持させることにより、３月の前後の月が上下に並ぶのである。
【００３３】
４月になる時点で、カレンダー用紙（１），（２），（３）を台紙（４）から一旦外し、上から３月分と４月分を保持部（５）で保持させて配置する。同様にして５月になる時点でも行う。また６月になる時点で、カレンダー用紙（１），（２），（３）を台紙（４）から一旦外し、上から５月分と６月分を保持部（５）で保持させて配置する。更に第１カレンダー用紙（１）を１枚に伸ばし、裏面側の７月分と１０月分が印刷された面を表側として半分に畳み、７月分を表側にして最下段に配置させる。以降は第２カレンダー用紙（２）も第３カレンダー用紙（３）も同様にして裏面側を反転させ、それらを表側して順に並べれば良い。尚、上段に風景などを表示し、中段と下段に２ヶ月分を表示させて使用するようにしても良い。
【符号の説明】
【００３４】
１  第１カレンダー用紙
２  第２カレンダー用紙
３  第３カレンダー用紙
４  台紙
41  上段台紙
42  中段台紙
43  下段台紙
５  保持部
51  紙製フック
52  差込穴
６  折曲線
７  ミシン目
10  連結部
10a  紙製連結具
10b  穴
【図１】
2012196963.tif 000003
【図２】
2012196963.tif 000004
【図３】
2012196963.tif 000005
【図４】
2012196963.tif 000006
【図５】
2012196963.tif 000007
【図６】
2012196963.tif 000008
【図７】
2012196963.tif 000009
【図８】
2012196963.tif 000010
【図９】
2012196963.tif 000011
【図１０】
2012196963.tif 000012